(57)【要約】【課題】ユーザ設定が変更されたことによる操作ミスを防止できる画像処理装置を提供する。【解決手段】  画像処理装置には画像処理の実行条件に関する標準条件が予め設定されている。実行条件の任意の項目が変更され、さらに、画像処理のジョブが実行されると、変更された項目が強調して表示される（ステップ３１４）。この強調表示により、次に装置を利用するユーザはどの項目が変更されているかを容易に確認できる。変更された項目が強調して表示されてから所定時間が経過したか、又は全解除キーが押下されると、実行条件は標準条件に自動的に戻る（ステップ３２０）。【選択図】図５
2014086911.tif 000002
【特許請求の範囲】
【請求項１】
画像処理の実行条件に関して標準条件が予め設定されている画像処理装置であって、
前記実行条件は複数の項目を含み、
前記実行条件の各項目及び画像データを表示するための表示手段と、
前記実行条件に対する変更指示信号を受信したことに応答して、画像処理の実行条件のうち指定された項目を変更するための変更手段と、
前記実行条件を前記標準条件に戻すよう指示する初期化指示信号を送信するための送信手段と、
前記初期化指示信号を受信したことに応答して、前記実行条件を前記標準条件に初期化するための初期化手段と、
前記実行条件の各項目のうち、前記変更手段により変更された項目であり、前記標準条件と異なる項目を強調して表示するよう前記表示手段を制御するための表示制御手段と、
を含む、画像処理装置。
【請求項２】
前記実行条件にしたがって画像処理のジョブを実行するためのジョブ実行手段をさらに含み、
前記表示制御手段は、画像処理のジョブが前記ジョブ実行手段により実行されたことに応答して、前記表示手段を制御する、請求項１に記載の画像処理装置。
【請求項３】
前記表示制御手段はさらに、前記変更手段により前記標準条件から変更された項目の内容を確認する確認メッセージを前記表示手段に表示させる、請求項１又は請求項２に記載の画像処理装置。
【請求項４】
前記変更手段により前記標準条件から変更された項目は、前記実行条件のうちの他の項目の表示よりも大きなサイズで表示される、請求項１又は請求項２に記載の画像処理装置。
【請求項５】
前記変更手段により前記標準条件から変更された項目は、前記実行条件のうちの他の項目の表示に重なるようにして表示される、請求項１又は請求項２に記載の画像処理装置。
【発明の詳細な説明】
【技術分野】
【０００１】
本発明は、画像処理装置に関し、特に、ジョブの実行条件が変更されたことによるユーザの操作ミスを防ぐ機能を搭載した画像処理装置に関する。
【背景技術】
【０００２】
一部の複合機及びプリンタ等では、印刷及び画像データ送信等のジョブを実行する際の用紙サイズ、印刷方向、部数、倍率、及び濃度等の各項目が予め所定の値に設定されている（以下、この設定を標準設定と呼ぶ。）。これら設定について、ユーザは装置に搭載された機能キー等を操作することで、ユーザの所望する設定（以下、これをユーザ設定と呼ぶ。）に変更できる。
【０００３】
一般に、複合機は会社、家庭、及び店頭等に設置され、１台の複合機が複数人に利用されることが多い。そのため、あるユーザが設定したユーザ設定がリセットされずにそのまま放置されていると、次に複合機を利用するユーザが、設定が標準設定でなくユーザ設定に切替わっていることに気付かずに印刷を行なう可能性がある。このようにして行なわれた印刷は後のユーザが所望する設定に基づいて行なわれた印刷ではないため、用紙及びトナー等が無駄になる可能性がある。
【０００４】
ユーザ設定を自動的に標準設定へ切替えるために、一部の複合機はオートクリア機能を搭載している。一般に、オートクリア機能を有する複合機は、各種項目の設定がユーザ設定に変更されてから所定時間以上経過すると自動的にユーザ設定を標準設定に切替える。オートクリア機能を活用すれば、前に印刷を行なったユーザにより設定されたユーザ設定のままで、後のユーザが印刷を行なう可能性を減らすことができる。
【先行技術文献】
【特許文献】
【０００５】
【特許文献１】特開２００８−１９１５３８号公報
【発明の概要】
【発明が解決しようとする課題】
【０００６】
オートクリア機能に関連して、特許文献１には、オートクリア実行後に、画像形成装置の設定をオートクリア実行前の状態に戻す機能に関する発明が開示されている。特許文献１では、この機能をオートクリア解除機能と呼んでいる。この発明に係る画像形成装置は、オートクリア実行前の設定を記憶しておき、ユーザが解除キーを押下したことに応じて、項目の設定を標準設定からオートクリア解除前のユーザ設定に切替える。さらに、標準設定とユーザ設定とで異なる項目が一目で分かるよう、変更された項目を他の項目とは異なる態様で表示する。この表示方法により、ユーザは設定がいったんオールクリアされても、オールクリア実行前の設定に戻すことで、どの項目を変更していたかを即座に判別できる。そのため、項目の設定を行なっている最中にいったん設定操作を中断し、その間にオートクリアが実行されても、オートクリア解除を実行すれば、どの項目の設定まで完了したかをすぐに思い出すことができ、スムーズに設定操作を再開できる。
【０００７】
しかし、特許文献１の画像形成装置では、設定が変更された後、オートクリアが実行される前に、後のユーザが変更後の設定のままで印刷を行なう可能性がある。この場合、この印刷操作は操作ミスとなり、ユーザ設定のままで行なわれた印刷は無駄になってしまう。
【０００８】
以上より、本発明は、ユーザ設定が変更されたことによる操作ミスを防止できる画像処理装置を提供することを目的とする。
【課題を解決するための手段】
【０００９】
本発明のある局面に係る画像処理装置は、画像処理の実行条件に関して標準条件が予め設定されている画像処理装置である。実行条件は複数の項目を含み、画像処理装置は、実行条件の各項目及び画像データを表示するための表示手段と、実行条件に対する変更指示信号を受信したことに応答して、画像処理の実行条件のうち指定された項目を変更するための変更手段と、実行条件を標準条件に戻すよう指示する初期化指示信号を送信するための送信手段と、初期化指示信号を受信したことに応答して、実行条件を標準条件に初期化するための初期化手段と、実行条件の各項目のうち、変更手段により変更された項目であり、標準条件と異なる項目を強調して表示するよう表示手段を制御するための表示制御手段と、を含む。
【００１０】
画像処理の実行条件のうち、指定された項目が標準条件とは異なるものに変更されると、画像処理装置は当該項目を強調して表示する。さらに画像処理装置は、初期化指示信号を受信したことにより、変更された項目を標準条件下での設定に戻す。したがって、この画像処理装置によれば、実行条件を構成する項目が標準条件から変更されれば、オールクリアが実行される前であっても当該項目は強調して表示される。そのため、前のユーザが使用した直後に次のユーザが画像処理装置を利用する場合であっても、画像処理装置には標準条件のときとは異なる項目が強調表示される。次のユーザはどの項目が異なっているかに容易に気付くことができ、前のユーザが設定したユーザ設定のままでジョブを実行するという操作ミスの発生を防ぐことができる。
【００１１】
好ましくは、送信手段は、表示制御手段の制御により表示手段の表示が行なわれた時点から所定時間が経過したことに応答して初期化指示信号を送信する。
【００１２】
標準条件と異なる項目が強調して表示されてから所定時間が経過すると、画像処理装置は初期化指示信号を送信し、当該項目を標準条件のときの設定に戻す。したがって、画像処理装置が所定時間操作されなければ、ユーザが特段の操作を行なわずとも、実行条件は標準条件に自動的に戻る。所定時間が経過してからユーザが画像処理装置を利用する場合、当該ユーザは前のユーザが設定したユーザ設定をオールクリアしなくてもよい。
【００１３】
好ましくは、画像処理装置は、実行条件を標準条件に戻すことを指示する操作入力を受付けるための入力受付手段をさらに含み、送信手段は、操作入力を入力受付手段が受付けたことに応答して初期化指示信号を送信する。
【００１４】
実行条件を標準条件に戻すよう指示する操作入力を受付けると、画像処理装置は実行条件を標準条件に戻す。所望するジョブの設定が標準条件である場合、ユーザは実行条件を標準条件に戻す指示を画像処理装置に入力すれば、変更された項目の設定をオールクリアできる。
【００１５】
好ましくは、画像処理装置は、実行条件にしたがって画像処理のジョブを実行するためのジョブ実行手段をさらに含み、表示制御手段は、画像処理のジョブがジョブ実行手段により実行されたことに応答して、表示手段を制御する。
【００１６】
ジョブ実行手段によりジョブが実行されてから、標準条件と異なる項目が強調表示される。ユーザが実行条件の各項目の設定を変更している間は変更された項目は強調表示されないため、ユーザは通常の表示画面を参照しながら項目の設定を変更できる。ジョブが実行されると変更された項目は強調表示されるので、強調表示されない場合に比べて、ユーザは実行条件を標準条件に戻さなければいけないことに気付きやすくなる。また、後のユーザは設定が変更されていることに容易に気付くことができる。
【００１７】
好ましくは、表示制御手段はさらに、変更手段により標準条件から変更された項目の内容を確認する確認メッセージを表示手段に表示させる。
【００１８】
確認メッセージには変更された項目の内容が全て表示される。したがって、ユーザは確認メッセージを参照することで、いずれの項目がどのように変更されているかを即座に知ることができる。
【００１９】
さらに好ましくは、変更手段により標準条件から変更された項目が画像処理を行なう画像の枚数又は倍率であれば、表示制御手段は、当該枚数又は倍率を示す値を含むように確認メッセージを表示手段に表示させる。
【００２０】
画像の枚数又は倍率が変更されると、変更後の値が確認メッセージに表示される。ユーザは枚数又は倍率が標準設定での値からどのように変更されたかについて、より具体的に知ることができる。確認メッセージに値が含まれていれば、含まれていない場合に比べて、ユーザがより注意深くメッセージの内容を確認することが期待できる。
【００２１】
好ましくは、変更手段により標準条件から変更された項目は、実行条件のうちの他の項目の表示よりも大きなサイズで表示される。
【００２２】
ユーザ設定により変更された項目は、変更されていない項目に比べて大きなサイズで表示される。したがって、いずれの項目が変更されたかをユーザは即座に確認できる。
【００２３】
好ましくは、変更手段により標準条件から変更された項目は、実行条件のうちの他の項目の表示に重なるようにして表示される。
【００２４】
ユーザ設定により変更された項目は変更されていない項目に重なるようにして表示される。項目が変更されていないときの当該項目の表示態様と、変更されたときの当該項目の表示態様とは明確に異なるので、ユーザは項目が変更されていることに気付きやすくなる。また、変更された項目は最上面に配置されるので、いずれの項目が変更されたかをユーザは即座に確認できる。
【００２５】
好ましくは、変更手段は、複数の階層で構成された設定画面により、複数の項目のうち任意の項目の設定を変更可能であり、表示制御手段は、変更手段により標準条件から変更された項目があるときは、複数の階層において当該項目を設定する設定画面の上位の階層にあたる設定画面に当該項目があることを強調して表示するよう表示手段を制御する。
【００２６】
項目が変更されると、当該項目を設定する設定画面の上位の階層にあたる設定画面に当該項目があることが強調して表示される。ユーザは表示された上位の階層にあたる設定画面から、いずれの項目が変更されたのかを知ることができる。さらに、上位の階層にあたる設定画面を操作して当該項目を設定する設定画面に表示を切替えることで、簡単な操作で当該項目の設定を行なうことができる。
【００２７】
好ましくは、表示手段には画像処理を行なう画像の枚数を入力するためのテンキーが表示され、変更手段により標準条件から変更された項目が画像処理を行なう画像の枚数であれば、表示制御手段は、当該枚数を示す値を含み、かつ、テンキーに重なるようにして当該項目を強調して表示手段に表示させる。
【００２８】
変更された項目が画像の枚数である場合、変更後の画像の枚数を示す値がテンキーに重なるようにして強調表示される。したがって、ユーザは画像の枚数を示す値が変更されていることに即座に気付くことができる。
【発明の効果】
【００２９】
本発明に係る画像処理装置によると、画像処理の実行条件のうち、指定された項目が標準条件とは異なるものに変更されると、画像処理装置は当該項目を強調して表示する。さらに画像処理装置は、初期化指示信号を受信したことにより、変更された項目を標準条件下での設定に戻す。したがって、実行条件を構成する項目が標準条件から変更されれば、オールクリアが実行される前であっても当該項目は強調して表示される。そのため、次に操作を行なうユーザはどの項目が異なっているかに容易に気付くことができ、ユーザ設定が変更されたことによる操作ミスを防止できる。
【図面の簡単な説明】
【００３０】
【図１】本発明の実施の形態に係る画像処理装置の構成を示す断面図である。
【図２】図１に示す画像処理装置に含まれる入力装置を示す図である。
【図３】図１に示す画像処理装置が有する機能ブロックを示す図である。
【図４】第１−第６の実施の形態において画像処理装置の設定が標準設定のときに表示される表示画面である。
【図５】画像処理装置の設定が変更されたことに応答して開始されるプログラムの制御構造を示すフローチャートである。
【図６】第１の実施の形態において標準設定のときと異なるユーザ設定の項目を強調して表示する表示画面である。
【図７】第２の実施の形態において標準設定のときと異なるユーザ設定の項目を強調して表示する表示画面である。
【図８】第３の実施の形態において標準設定のときと異なるユーザ設定の項目を強調して表示する表示画面である。
【図９】第４の実施の形態において標準設定のときと異なるユーザ設定の項目を強調して表示する表示画面である。
【図１０】第５の実施の形態において標準設定のときと異なるユーザ設定の項目を強調して表示する表示画面である。
【図１１】印刷に関する特別機能を選択するための選択画面である。
【図１２】印刷用紙の綴じ代を設定するための設定画面である。
【図１３】第６の実施の形態においてユーザ設定に変更された直後に表示される表示画面である。
【図１４】第６の実施の形態において特別機能に属する項目が標準設定と異なることを示す表示画面である。
【図１５】第６の実施の形態において標準設定のときと異なる項目の内容を表示する表示画面である。
【図１６】第７の実施の形態において画像処理装置の設定が標準設定のときに表示される表示画面を示す図である。
【図１７】第７の実施の形態において標準設定のときと異なるユーザ設定の項目を強調して表示する表示画面である。
【発明を実施するための形態】
【００３１】
以下の説明及び図面では、同一の部品には同一の参照番号を付してある。それらの名称及び機能も同一である。したがって、それらについての詳細な説明は繰返さない。
【００３２】
［第１の実施の形態］
＜画像処理装置の構成＞
本発明の実施の形態に係る画像処理装置はいわゆる複合機であり、原稿を読取って生成された画像データに応じて、所定の記録紙に多色又は単色の画像を形成したり、当該画像データを接続される外部装置へファクシミリ送信したりできる。図１を参照して、画像処理装置１００は、本体装置１１０と、自動原稿送り装置１２０とにより構成されている。本体装置１１０は、光走査装置１、現像器２、感光体ドラム３、クリーナユニット４、帯電器５、中間転写ベルトユニット６、定着ユニット７、給紙カセット８１、及び排紙トレイ９１を備えて構成されている。
【００３３】
本体装置１１０の上部には、原稿が載置される透明ガラスからなる原稿載置台９２が設けられた画像読取り装置９０が配置され、原稿載置台９２の上には自動原稿送り装置１２０が取り付けられている。自動原稿送り装置１２０は、原稿載置台９２の上に自動的に原稿を搬送する。自動原稿送り装置１２０は矢印Ｍ方向に回動自在に構成され、原稿載置台９２の上を開放することにより原稿を手で置くことができるようになっている。
【００３４】
本画像処理装置１００において扱われる画像データは、ブラック（Ｋ）、シアン（Ｃ）、マゼンタ（Ｍ）及びイエロー（Ｙ）の各色を用いたカラー画像データ、即ち、これら４色の成分に分解された画像データである。したがって、現像器２、感光体ドラム３、帯電器５、及びクリーナユニット４は、各色に応じた４種類の潜像を形成するように、それぞれ４個ずつ設けられ、これらによって、ブラック、シアン、マゼンタ、及びイエローを処理する４つの画像ステーションが構成されている。
【００３５】
帯電器５は、感光体ドラム３の表面を所定の電位に均一に帯電させるための装置であり、図１に示すようなチャージャ型の他、接触型のローラ型やブラシ型の帯電器が用いられることもある。
【００３６】
光走査装置１は、レーザ出射部及び反射ミラー等を備えたレーザスキャニングユニット（ＬＳＵ）である。光走査装置１には、レーザビームを走査するポリゴンミラーと、ポリゴンミラーによって反射されたレーザ光を感光体ドラム３に導くためのレンズ及びミラー等の光学要素とが配置されている。光走査装置１としては、このような構成以外に、発光素子をアレイ状に並べた例えばＥＬ又はＬＥＤ書込みヘッドを用いるものも採用できる。
【００３７】
光走査装置１は、帯電された感光体ドラム３を、入力された画像データに応じて露光することにより、その表面に、画像データに応じた静電潜像を形成する。現像器２は、それぞれの感光体ドラム３上に形成された静電潜像を４色（ＹＭＣＫ）のトナーにより顕像化する。クリーナユニット４は、現像及び画像転写後に感光体ドラム３上の表面に残留したトナーを、除去及び回収する。
【００３８】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ローラ６４は、ＹＭＣＫの各色に対応して４本設けられている。
【００３９】
中間転写ベルト駆動ローラ６２、中間転写ベルト従動ローラ６３、及び中間転写ローラ６４は、中間転写ベルト６１を張架して回転駆動させる。各中間転写ローラ６４は、対応する感光体ドラム３のトナー像を中間転写ベルト６１上に転写するために転写バイアスを供給する。
【００４０】
給紙カセット８１は、画像形成に使用する記録紙を蓄積しておくためのトレイであり、本体装置１１０の光走査装置１の下側に設けられている。また手差し給紙カセット８２にも画像形成に使用する記録紙を置くことができる。また、本体装置１１０に設けられている排紙トレイ９１は、印刷済みの記録紙をフェイスダウンで、即ち印刷面を下にして集積するためのトレイである。
【００４１】
本体装置１１０には、給紙カセット８１及び手差し給紙カセット８２の記録紙を、転写ローラ１０及び定着ユニット７を経由させて排紙トレイ９１に送るために、略鉛直方向に記録紙搬送路Ｓが形成されている。給紙カセット８１又は手差し給紙カセット８２から排紙トレイ９１までの記録紙搬送路Ｓの近傍には、ピックアップローラ１１ａ、１１ｂ、複数の搬送ローラ１２ａ−１２ｅ、レジストローラ１３、転写ローラ１０、及び定着ユニット７等が配置されている。
【００４２】
搬送ローラ１２ａ−１２ｅは、記録紙の搬送を促進及び補助するための小型のローラであり、記録紙搬送路Ｓに沿って複数設けられている。ピックアップローラ１１ａは、給紙カセット８１の端部近傍に配置され、給紙カセット８１から記録紙を１枚ずつピックアップして記録紙搬送路Ｓに供給する。同様に、ピックアップローラ１１ｂは、手差し給紙カセット８２の端部近傍に配置され、手差し給紙カセット８２から記録紙を１枚ずつピックアップして記録紙搬送路Ｓに供給する。
【００４３】
レジストローラ１３は、記録紙搬送路Ｓを搬送される記録紙を一旦保持する。そして、感光体ドラム３上のトナー像の先端と記録紙の先端とが一致するタイミングで記録紙を転写ローラ１０に搬送する。
【００４４】
定着ユニット７は、ヒートローラ７１及び加圧ローラ７２を備えている。ヒートローラ７１及び加圧ローラ７２は、記録紙を挟んで回転する。また、ヒートローラ７１は、温度検出器（図示せず）からの信号に基づいて、制御部によって所定の定着温度に設定されており、加圧ローラ７２とともにトナーを記録紙に熱圧着することにより、記録紙に転写された多色トナー像を溶融、混合、及び圧接し、記録紙に対して熱定着させる機能を有している。また、ヒートローラ７１を外部から加熱するための外部加熱ベルト７３が設けられている。
【００４５】
図２を参照して、原稿載置台９２の近傍には、読取った画像データを表示し、当該画像データの送信及び印刷等の処理を行なう操作パネル１３０が設置される。操作パネル１３０は、表示装置及び入力装置が一体型として構成されるタッチパネルディスプレイ１４０、印刷を行なう部数及び印刷倍率等を入力するテンキー１５０、部数等の数値を０に戻すクリアキー１６０、入力された設定を全て初期状態に戻す全解除キー１７０、カラー印刷及び原稿読取を開始させるカラースタートキー１８０、白黒印刷、原稿読取、及びファクシミリ送信を開始させる白黒スタートキー１９０を有する。
【００４６】
タッチパネルディスプレイ１４０には画像データだけでなく、画像処理装置１００で実行されるジョブの設定を入力するための各機能キー及び設定項目等も表示される。ユーザはこれら機能キー等が表示される箇所のディスプレイをタッチすることで、画像処理装置１００の設定変更、及び表示される画像データの編集等を行なうことができる。
【００４７】
テンキー１５０は、ログアウト／トーンキー１５２及びプログラムキー１５４を含む。ログアウト／トーンキー１５２は、画像処理装置１００が有するユーザ認証機能により認証されたユーザがログアウトするとき、又は、ファクシミリ送信時にダイヤル回線でトーン信号を出すときに使用される。プログラムキー１５４はジョブプログラムを呼出すとき、又は、ファクシミリ送信時においてダイヤルするときに使用される。
【００４８】
テンキー１５０及び図示しない各種機能キー等が操作されると、画像処理装置１００の設定条件が変更される。全解除キー１７０が押下されると、ユーザ設定により変更された設定条件は全て解除される。さらに全解除キー１７０は、印刷及び原稿読取を中断するときにも使用される。
【００４９】
上記したように、印刷及び原稿読取は、カラースタートキー１８０及び白黒スタートキー１９０のいずれかが押下されたことに応じて開始される。以下では、カラースタートキー１８０及び白黒スタートキー１９０をまとめて「実行キー」と呼ぶことがある。
【００５０】
図３を参照して、画像処理装置１００は、各機能部を制御する制御部（以下、ＣＰＵ（Ｃｅｎｔｒａｌ  Ｐｒｏｃｅｓｓｉｎｇ  Ｕｎｉｔ）という）２００と、プログラム等を記憶するためのＲＯＭ（Ｒｅａｄ  Ｏｎｌｙ  Ｍｅｍｏｒｙ）２０２と、揮発性の記憶装置であるＲＡＭ（Ｒａｎｄｏｍ  Ａｃｃｅｓｓ  Ｍｅｍｏｒｙ）２０４と、通電が遮断された場合にもデータを保持する不揮発性記憶装置であるＨＤＤ（Ｈａｒｄ  Ｄｉｓｋ  Ｄｒｉｖｅ）２０６と、タイマ２０８と、タッチパネルディスプレイ１４０及びテンキー１５０等からの入力を受付ける入力受付部２１０とをさらに含む。
【００５１】
ユーザの認証情報及び読取られた画像データ等はＨＤＤ２０６に記憶され、印刷部数等はＲＡＭ２０４に記憶される。タイマ２０８はＣＰＵ２００より指示を受信すると、カウントを開始する。
【００５２】
入力受付部２１０は、タッチパネルディスプレイ１４０及びテンキー１５０等を用いて入力された指示入力を受付け、ＣＰＵ２００へ送信する。タッチパネルディスプレイ１４０上のいずれかの箇所がタッチされると、ＣＰＵ２００はタッチされた箇所に応じてプログラムにより割当てられた処理を実行するよう、各機能部を制御する。
【００５３】
＜標準設定時の表示画面＞
図４を参照して、標準設定時にタッチパネルディスプレイ１４０に表示される表示画面２５０には、モード切替キー２５２及びジョブ状況表示部２８２が表示される。画像処理装置１００はコピー機能、スキャナ機能、及びファクシミリ送信機能等、一般的な複合機に搭載される種々の機能を備えており、モード切替キー２５２を操作することで、所望する機能に応じた動作モードに切替えることができる。
【００５４】
モード切替キー２５２は、画像処理装置１００の動作モードをコピーモードに切替えるコピーキー２５４、スキャナ機能及びファクシミリ送信機能に対応するイメージ送信モードに切替えるイメージ送信キー２５６、及び、ＨＤＤ２０６に記憶された画像データ等を印刷したり送信したりするときに利用されるドキュメントファイリングモードに切替えるドキュメントファイリングキー２５８を含む。これらモード切替キー２５２のいずれかをタッチすることで、ユーザは画像処理装置１００の動作モードを所望のモードに切替えることができる。
【００５５】
ジョブ状況表示部２８２には、予約又は実行中のジョブの状況が表示される。ジョブ状況表示部２８２をタッチすると、ジョブ状況表示画面（図示せず。）が表示され、予約又は実行中のジョブの一覧が各々のジョブの状況とともに表示される。
【００５６】
表示画面２５０にはさらに、カラー印刷又は白黒印刷を切替えるカラーモードキー２６０、原稿の濃度を設定するコピー濃度キー２６２、原稿の印刷倍率を設定する倍率キー２６４、原稿載置台にセットされた原稿のサイズを示す原稿キー２６６、及び印刷用紙のサイズ及び種類を示す用紙キー２６８が表示される。これら機能キー２６０−２６８で設定される項目は、一般的な印刷において頻繁に値が変更される項目である。これら機能キー２６０−２８０を、以下では「基本設定キー」と呼ぶことがある。
【００５７】
表示画面２５０にはさらに、印刷に関する特別機能を選択する特別機能キー２７０、印刷面を印刷用紙の両面及び片面のいずれにするかを選択する印刷面選択キー２７２、印刷の仕上げに関する機能を設定する仕上げキー２７４、読込まれた画像データをＨＤＤ２０６に記憶させるファイリングキー２７６、読込まれた画像データをＲＡＭ２０４に一時的に保存する自動一時保存キー２７８、及び、設定された印刷部数を表示する部数表示２８０が表示される。これら機能キー２７０−２７８で設定される項目は、一般的な印刷においてあまり頻繁に変更されない項目である。これら機能キー２７０−２７８を、以下では「特別設定キー」と呼ぶことがある。特別設定キーのいずれかをタッチすると、タッチパネルディスプレイ１４０にはタッチされた機能キーに応じた設定画面が表示される。設定画面は複数の階層で構成されており、ユーザ操作に応じて表示される設定画面は切替わる。
【００５８】
画像処理装置１００が標準設定に設定されている場合、印刷のカラーモードはカラー印刷に、コピー濃度は自動に、印刷倍率は原稿用紙サイズの等倍に、用紙サイズは自動に、印刷面は両面に、印刷部数は１部に、それぞれ設定されている。したがって、印刷時に設定を何も変更しなければ、これらの設定条件に基づいて画像が印刷される。
【００５９】
＜ソフトウェア構成＞
図５を参照して、画像処理装置１００の印刷に関する設定を標準設定から変更する操作が検知されたことに応じて実行されるプログラムは、次のような構造を有する。このプログラムは、画像処理装置１００の印刷に関する設定の変更を検知するステップ３０２、変更後の設定条件を表示するステップ３０４、及び、実行キーが押下されたか否かを検知するステップ３０６を含む。ステップ３０６の判定結果が否定の場合、制御はステップ３０６に戻る。なお、ステップ３０６で他のキー（例えば図２のクリアキー１６０）が押下されたときには図示しない他の処理が実行されるが、ここでは図面及び説明を明確にするため、それらに関する説明は行なわない。以下の説明でも同様である。
【００６０】
図５に示されるプログラムはさらに、ステップ３０６の判定結果が肯定であることに応答して、ユーザ操作により指定されたジョブを実行するステップ３０８、当該ジョブの実行が終了したことを検知するステップ３１０、当該ジョブの実行が終了したことに応答して、ジョブ終了時点でのユーザ設定が標準設定と異なっているか否かを判定するステップ３１２、及び、ステップ３１２の判定結果が肯定である、すなわち、ユーザ設定と標準設定とが異なっている場合に、タッチパネルディスプレイ１４０に標準設定から変更された項目を強調して表示するステップ３１４を含む。ステップ３１２の判定結果が否定の場合、制御は後述するステップ３２２に進む。
【００６１】
図５に示されるプログラムはさらに、ステップ３１４で表示を行なった時点から所定時間が経過したか否かを判定するステップ３１６、ステップ３１６の判定結果が否定であることに応答して、全解除キー１７０が押下されたか否かを判定するステップ３１８、ステップ３１６の判定結果が肯定であること、又は、ステップ３１８の判定結果が肯定であることに応答して、画像処理装置１００の設定を標準設定に戻すステップ３２０、及び、標準設定での設定条件をタッチパネルディスプレイ１４０に表示させるステップ３２２を含む。ステップ３１８の判定結果が否定の場合、制御はステップ３１６に戻る。
【００６２】
＜動作＞
図２−図６を参照して、画像処理装置１００の印刷に関する設定が、標準設定から、「印刷部数は５部、印刷倍率は１２０％」の設定に変更された後に、印刷が実行される場合について説明する。
【００６３】
ユーザはテンキー１５０及び倍率キー２６４を操作して、印刷部数及び印刷倍率を設定する。これら項目の値が変更されたことを入力受付部２１０が検知すると（ステップ３０２）、ＣＰＵ２００は倍率キー２６４及び部数表示２８０に変更後の値を表示するよう制御する（ステップ３０４）。このときの表示は数値が変わるのみで、図４に示される表示態様とほとんど変わらない。
【００６４】
操作パネル１３０のいずれかの箇所が操作されたことを入力受付部２１０が検知すると、ＣＰＵ２００は操作された箇所が実行キーであったか否かを判定する（ステップ３０６）。この判定が肯定の場合、ＣＰＵ２００は、カラースタートキー１８０が押下されていればカラー印刷を、白黒スタートキー１９０が押下されていれば白黒印刷を、新たに設定されたユーザ設定に基づき行なうよう、印刷を行なう各機能部を制御する（ステップ３０８）。
【００６５】
ＣＰＵ２００は印刷が完了したことを検知すると（ステップ３１０）、ユーザ設定が標準設定と異なっているか否かを判定する（ステップ３１２）。この判定が肯定であれば、ＣＰＵ２００は、印刷部数は５部で、印刷倍率は１２０％の設定のままで良いかどうかを確認するための確認メッセージ３４２をタッチパネルディスプレイ１４０の中央部に表示するよう、操作パネル１３０を制御する（ステップ３１４）。判定が否定であれば、ＣＰＵ２００は表示画面２５０をタッチパネルディスプレイ１４０に表示させる（ステップ３２２）。印刷部数及び印刷倍率の値がどのように変更されているかが分かるように、確認メッセージ３４２は当該値を含むような文言で表示される。ＣＰＵ２００はさらに、確認メッセージ３４２を表示させたと同時に、タイマ２０８にカウントを開始させる。
【００６６】
ＣＰＵ２００は、確認メッセージ３４２が表示されてから所定時間が経過したか否かを判定する（ステップ３１６）。この判定が肯定の場合、ＣＰＵ２００は印刷部数を１部、印刷倍率を１００％と、標準設定での値に戻す（ステップ３２０）。さらにＣＰＵ２００は、タッチパネルディスプレイ１４０に表示される画面を、図６の表示画面３４０から図４の表示画面２５０に切替える（ステップ３２２）。確認メッセージ３４２が表示されてから所定時間が経過しないうちに全解除キー１７０が押下された場合（ステップ３１６でＮＯ、ステップ３１８でＹＥＳ）も同様に、印刷部数及び印刷倍率は標準設定での値に戻され、タッチパネルディスプレイ１４０に表示される画面は表示画面３４０から表示画面２５０に切替わる。このようにして、画像処理装置１００の印刷に関する設定は標準設定に戻る。確認メッセージ３４２が表示されてから所定時間が経過しておらず、かつ、全解除キー１７０も押下されていない間は（ステップ３１６でＮＯ、ステップ３１８でＮＯ）、ＣＰＵ２００はタイマ２０８にカウントを続行させる。
【００６７】
＜効果＞
本実施の形態に係る画像処理装置によれば、印刷が実行されると、印刷部数及び印刷倍率がユーザ設定のままであることを知らせる確認メッセージ３４２が、タッチパネルディスプレイ１４０の中央部に表示される。したがって、次に画像処理装置１００を利用するユーザは、印刷部数及び印刷倍率の値が前のユーザにより変更されていることを容易に確認できる。確認メッセージ３４２は印刷を実行したユーザが特段の操作を行なわずとも自動的に表示されるので、次に装置を利用するユーザは設定が変更されていることを確実に知ることができる。そのため、変更されている設定が所望の設定と異なる場合、ユーザは確認メッセージの内容を確認したうえで設定を変更し、無駄な印刷を行なわないようにすることができる。
【００６８】
確認メッセージ３４２には、変更後の印刷部数及び印刷倍率を示す値を含む文言が表示される。したがって、ユーザはこれら項目が標準設定での値からどのように変更されたかを即座に知ることができる。
【００６９】
確認メッセージ３４２が表示される表示画面３４０は、所定時間が経過したこと、又は、全解除キー１７０が押下されたことにより、標準設定での表示画面２５０に自動的に切替わる。そのため、特段の操作が行なわれなくとも所定時間が経過すれば、ユーザ設定は自動的に標準設定に切替わる。又は、全解除キー１７０が押下されれば、ユーザ設定は標準設定に切替わる。このようなオールクリアにより、次に画像処理装置１００を利用するユーザは標準設定で印刷を行なうことができる。
【００７０】
［第２の実施の形態］
第１の実施の形態に係る画像処理装置は、印刷が終了し、標準設定と異なる値の項目があると判定されると、当該項目の変更内容を確認する確認メッセージ３４２を表示した（ステップ３１４）。本実施の形態に係る画像処理装置は、値が変更されている項目を拡大して表示する点が第１の実施の形態に係る画像処理装置と異なり、それ以外の点は同じである。
【００７１】
＜動作＞
図５及び図７を参照して、ユーザ設定が標準設定と異なっている場合（ステップ３１２でＹＥＳ）、ユーザ操作により値が変更された項目の機能キーである倍率キー２６４及び部数表示２８０が拡大して表示される。表示画面３５０が表示されてから所定時間が経過したか、又は、全解除キー１７０が押下されると（ステップ３１６でＹＥＳ又はステップ３１８でＹＥＳ）、設定は標準設定に戻り（ステップ３２０）、タッチパネルディスプレイ１４０に表示される表示画面は図７の表示画面３５０から図４の表示画面２５０に切替わる（ステップ３２２）。
【００７２】
＜効果＞
本実施の形態に係る画像処理装置によれば、値が変更された項目の機能キーが、印刷が終了したことに応じて拡大して表示される。したがって、どの項目が変更されているかをユーザは即座に判断できる。
【００７３】
［第３の実施の形態］
本実施の形態に係る画像処理装置は、値が変更されている項目の機能キーを拡大したものを当該機能キーの近傍に表示する点が第１の実施の形態に係る画像処理装置と異なり、それ以外の点は同じである。
【００７４】
＜動作＞
図５及び図８を参照して、ユーザ設定が標準設定と異なっている場合（ステップ３１２でＹＥＳ）、倍率キー２６４の近傍に拡大表示３６２が、部数表示２８０の近傍に拡大表示３６４がそれぞれ表示される。これら拡大表示は、元の機能キーの表示が隠れないように表示される。表示画面３６０が表示されてから所定時間が経過したか、又は、全解除キー１７０が押下されると（ステップ３１６でＹＥＳ又はステップ３１８でＹＥＳ）、設定は標準設定に戻り（ステップ３２０）、表示画面は図８の表示画面３６０から図４の表示画面２５０に切替わる。
【００７５】
＜効果＞
本実施の形態に係る画像処理装置によれば、値が変更された項目の機能キーの付近に、当該機能キーを拡大したものが、当該機能キーに重ならないようにして表示される。したがって、ユーザは拡大表示と当該機能キーとを比較することで、項目の値が実際に変更されているか否かを確認できる。さらに、拡大表示は他の項目の機能キーに重ねて最上面になるよう表示されるので、第２の実施の形態における拡大表示に比べて、どの項目の値が変更されているかをより容易に判別できる。
【００７６】
［第４の実施の形態］
本実施の形態に係る画像処理装置は、値が変更されている項目の機能キーを拡大したものを当該機能キーに重ねて表示する点が第１の実施の形態に係る画像処理装置と異なり、それ以外の点は同じである。なお、本実施の形態では、機能キーは、第２の実施の形態のときよりもさらに大きいサイズで拡大表示される。
【００７７】
＜動作＞
図５及び図９を参照して、ユーザ設定が標準設定と異なっている場合（ステップ３１２でＹＥＳ）、倍率キー２６４に拡大表示３７２が、部数表示２８０に拡大表示３７４が、それぞれ元の機能キーに重なるようにして表示される。表示画面３６０が表示されてから所定時間が経過したか、又は、全解除キー１７０が押下されると（ステップ３１６でＹＥＳ又はステップ３１８でＹＥＳ）、設定は標準設定に戻り（ステップ３２０）、表示画面は図９の表示画面３７０から図４の表示画面２５０に切替わる。
【００７８】
＜効果＞
本実施の形態に係る画像処理装置によれば、値が変更された項目の機能キーに重なるようにして、当該機能キーを拡大したものが表示される。この拡大表示は他の機能キーに重なるように表示されるので、ユーザはどの項目の値が変更されているかを容易に確認できる。さらに、当該機能キーは第２の実施の形態のときよりも大きいサイズで拡大して表示されるので、どの項目の値が変更されたかをより判別しやすくなる。
【００７９】
［第５の実施の形態］
本実施の形態では、印刷面の設定が両面印刷から片面印刷に変更され、印刷面選択キーが拡大して表示される点が第１の実施の形態と異なる。それ以外の点については、第１の実施の形態と同じである。
【００８０】
＜動作＞
図５及び図１０を参照して、ユーザが印刷面選択キー２７２を押下すると、図示しない印刷面設定画面がタッチパネルディスプレイ１４０に表示される。この設定画面を操作して、ユーザは印刷面の設定を両面印刷から片面印刷に変更する。この変更を入力受付部２１０が検知すると（ステップ３０２）、印刷面選択キー２７２の表示が「両面コピー」から「片面コピー」に変化する（ステップ３０４）。
【００８１】
ＣＰＵ２００はユーザ設定が標準設定と異なっているか否かを判定し（ステップ３１２）、印刷面選択キー２７２を拡大して表示させる（ステップ３１４）。表示画面３８０が表示されてから所定時間が経過したか、又は、全解除キー１７０が押下されると（ステップ３１６でＹＥＳ又はステップ３１８でＹＥＳ）、設定は標準設定に戻り（ステップ３２０）、図１０の表示画面３８０は図４の表示画面２５０に切替わる。
【００８２】
＜効果＞
本実施の形態に係る画像処理装置によれば、特別設定キーである印刷面選択キー２７２が拡大して表示される。この拡大表示は他の特別設定キーよりも大きく表示されるため、ユーザは基本設定キーで設定される項目だけでなく、特別設定キーで設定される項目についても、設定の変更を知ることができる。
【００８３】
［第６の実施の形態］
本実施の形態では、標準設定における綴じ代の幅が変更され、綴じ代の設定を行なう設定画面がポップアップ表示される点が第１の実施の形態と異なる。それ以外の点については、第１の実施の形態と同じである。なお、画像処理装置１００は、標準設定時には、印刷用紙の綴じ代の幅は１５ｍｍに設定されている。
【００８４】
＜動作＞
図４−図５及び図１１−図１５を参照して、画像処理装置１００で印刷を行なう際の綴じ代の幅が、１５ｍｍから１０ｍｍに変更された後に、印刷が実行される場合について説明する。
【００８５】
ユーザが特別機能キー２７０（図４）を押下すると、タッチパネルディスプレイ１４０には図４の表示画面２５０に代わり、図１１に示す設定画面３９０が表示される。設定画面３９０には印刷に関する各項目を設定するための各機能キー、ページを切替えるためのページ切替キー３９４及び３９６、並びにＯＫキー３９８が表示されている。ユーザが綴じ代キー３９２を押下すると、綴じ代キー３９２は、図１１に示されるように枠線で囲まれた選択状態になる。この状態でさらにユーザがＯＫキー３９８を押下すると、図１２を参照して、綴じ代を設定するための設定画面４１０がタッチパネルディスプレイ１４０に表示される。
【００８６】
設定画面４１０には、印刷する画像の左・右・上のいずれに綴じ代を設定するかを選択する綴じ代選択キー４１２−４１６、綴じ代の幅を表示する綴じ代幅表示４１８及び４２４、綴じ代幅を変更するための変更キー４２０−４２２及び４２６−４２８、並びにＯＫキー４３０が表示される。標準設定では、綴じ代は画像の左側に、表面及び裏面ともに１５ｍｍずつの幅で設定されている。ユーザが変更キー４２０及び４２６を操作すると、綴じ代幅を１０ｍｍずつに設定できる。表面及び裏面の綴じ代幅をそれぞれ１０ｍｍに設定した後にＯＫキー４３０をユーザが押下すると、綴じ代の変更が完了する。画面は通常であれば図４に示す表示画面２５０に戻るが、設定が変更されている場合、表示画面が通常と異なる。
【００８７】
綴じ代が変更されたことを入力受付部２１０が検知すると（ステップ３０２）、ＣＰＵ２００はタッチパネルディスプレイ１４０に図１３に示す表示画面４４０を表示させる（ステップ３０４）。表示画面４４０では、特別機能キー２７０の近傍に、特別機能キーで設定可能な項目のうち、いずれかの項目の値が変更されていることを通知する通知アイコン４４２が表示される。通知アイコン４４２にはｉｎｆｏｒｍａｔｉｏｎの頭文字であるｉが表示される。
【００８８】
印刷が完了し、綴じ代幅が１０ｍｍに変更されたままになっていると（ステップ３１２でＹＥＳ）、ＣＰＵ２００は通知アイコン４４２が拡大して表示される表示画面４５０（図１４）をタッチパネルディスプレイ１４０に表示させる（ステップ３１４）。拡大して表示された通知アイコン４４２をユーザがタッチすると、図１５に示す表示画面４６０が表示される。表示画面４６０には、設定画面４１０を縮小した設定画面４６２がポップアップ表示される。設定画面４６２をタッチすると、タッチパネルディスプレイ１４０には設定画面４１０が表示され、ユーザは設定画面４１０を操作して綴じ代を設定できる。
【００８９】
タッチパネルディスプレイ１４０に表示画面４５０が表示されてから所定時間が経過するか、又は、全解除キー１７０が押下されると（ステップ３１６でＹＥＳ又はステップ３１８でＹＥＳ）、画像処理装置１００は標準設定に戻り（ステップ３２０）、図４に示す表示画面２５０が表示される（ステップ３２２）。
【００９０】
＜効果＞
本実施の形態に係る画像処理装置によれば、印刷が実行された後に綴じ代幅がユーザ設定のままだと、拡大された通知アイコン４４２が特別機能キー２７０の近傍に表示される。さらに通知アイコン４４２をユーザが押下すると、設定画面４６２がポップアップ表示される。したがって、ユーザ設定により変更された項目が特別設定キーを操作して変更される項目であっても、当該項目を設定する機能キーの近傍に通知アイコンが表示されるので、どの特別設定キーを操作すれば変更を確認できるかが容易に判別できる。さらに、ポップアップ表示により、いずれの項目がどのように変更されたかについて、ユーザは即座に知ることができる。設定を変更する場合はポップアップ表示された設定画面４６２を押下することで、元の設定画面４１０をタッチパネルディスプレイ１４０に容易に表示させることができる。
【００９１】
［第７の実施の形態］
本実施の形態では、テンキー及び実行キー等が、表示画面上に機能キーとして表示されている点が、第１の実施の形態と異なる。さらに、本実施の形態では、標準設定から印刷部数を５部に変更する場合を考える。その他の点については、第１の実施の形態と同じである。
【００９２】
＜標準設定時の表示画面＞
図１６を参照して、本実施の形態では、標準設定時において表示画面４７０がタッチパネルディスプレイ１４０に表示される。表示画面４７０には、テンキー４７２、画像のスキャンインを開始するためのスキャンインスタートキー４７８、全解除キー４８０、白黒印刷を開始する白黒スタートキー４８２、カラー印刷を開始するカラースタートキー４８４、基本設定キーの集合である基本設定キー群４８６、及び、特別設定キーの集合である特別設定キー群４８８が表示される。テンキー４７２は、印刷部数をリセットするクリアキー４７４及び部数表示４７６を含む。
【００９３】
図４の表示画面２５０及び図１６の表示画面４７０を比較すると、いずれの画面にも基本設定キー及び特別設定キーが表示されているが、テンキー４７２、スキャンインスタートキー４７８、全解除キー４８０、白黒スタートキー４８２、及びカラースタートキー４８４は表示画面４７０にのみ表示される。
【００９４】
＜動作＞
図５及び図１６−図１７を参照して、ユーザはテンキー４７２を操作して、印刷部数を５部に設定する。印刷部数が変更されたことが検知されると（ステップ３０２）、ＣＰＵ２００は部数表示４７６に表示される値を５に変更する（ステップ３０４）。印刷が終了し、印刷部数が５部に設定されたままになっていると（ステップ３１２でＹＥＳ）、表示画面４７０は図１７に示される表示画面４９０に切替わる（ステップ３１４）。表示画面４９０のテンキー４７２には、印刷部数が５部で良いかを確認する確認メッセージ４９２が、テンキー４７２に重なるようにして表示される。印刷部数がどのように変更されているかが分かるように、確認メッセージ４９２は印刷部数の値を含む文言で表示される。確認メッセージ４９２が表示されてから所定時間が経過するか、又は、全解除キー４８０が押下されると（ステップ３１６でＹＥＳ又はステップ３１８でＹＥＳ）、印刷部数は標準設定時の部数にリセットされ（ステップ３２０）、図１７の表示画面４９０が図１６の表示画面４７０に切替わる。
【００９５】
＜効果＞
本実施の形態に係る画像処理装置によれば、確認メッセージ４９２は画面中央部に配置されるテンキー４７２に重なるようにして表示される。したがって、次に印刷を行なうユーザは、部数が変更されていることを容易に確認できる。
【００９６】
第１−第７の実施の形態では特に限定されていないが、印刷ジョブの実行後に表示される確認メッセージ及び機能キーの拡大表示は目立つような態様で表示させてもよい。例えば、表示する文字の明度を高くする、表示の枠線を二重線にする、拡大表示の下地の色を元の機能キーの下地の色と異なるものにする、等の態様が考えられる。さらには、確認メッセージ及び機能キーの拡大表示は、画像処理装置１００を利用するユーザに応じて表示態様を変化させてもよい。例えば、ユーザが高齢者である場合は、他のユーザが利用する場合に比べてさらに大きいサイズの拡大表示を行なう、又は、ユーザが子供である場合は、確認メッセージの文言を簡単なものにする、等の方法が考えられる。
【００９７】
第１−第７の実施の形態では、変更された項目の強調表示（図５のステップ３１４）はジョブの実行が終了したことに応じて行なわれたが、強調表示を行なうタイミングは項目の値が変更された直後であってもよい。この場合、前のユーザが設定を変更したにもかかわらずジョブを実行せずに画像処理装置１００の利用を終了した場合でも、変更された項目は強調表示されるので、次のユーザはどの項目が変更されているかを容易に気付くことができる。
【００９８】
第１−第７の実施の形態では、いずれも印刷ジョブが実行されたことに応答して変更された項目が強調表示されているが、実行するジョブは印刷ジョブに限定されない。例えば、ファクシミリ送信及びスキャンイン等のジョブが実行された場合に、変更された項目を強調表示してもよい。
【００９９】
第１及び第７の実施の形態において表示される確認メッセージの文言は、図６の確認メッセージ３４２及び図１７の確認メッセージ４９２に示されるものに限定されない。例えば、タッチパネルディスプレイ１４０のサイズが小さければ、確認メッセージは変更された項目が何であるかさえ分かれば、「印刷枚数ＯＫ？」というように短い文言にしてもよい。
【０１００】
第６の実施の形態では特別機能キー２７０の近傍に通知アイコン４４２が表示され、このアイコン表示により、特別機能キー２７０を操作して設定される項目が変更されていることが示されている。しかし、通知アイコン４４２を表示させずに特別機能キー２７０を強調して表示することで、当該変更を通知する形態にしてもよい。
【０１０１】
第６の実施の形態において、通知アイコン４４２は図１３又は図１４に示される表示態様となっているが、他の表示態様であってもよい。例えば、変更された項目が何であるかが即座に分かるように、「綴じ代」と表示したアイコンを通知アイコンとしてもよい。
【０１０２】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１０３】
１００  画像処理装置
１４０  タッチパネルディスプレイ
１７０  全解除キー
１８０  カラースタートキー
１９０  白黒スタートキー
２００  ＣＰＵ
【図１】
2014086911.tif 000003
【図２】
2014086911.tif 000004
【図３】
2014086911.tif 000005
【図４】
2014086911.tif 000006
【図５】
2014086911.tif 000007
【図６】
2014086911.tif 000008
【図７】
2014086911.tif 000009
【図８】
2014086911.tif 000010
【図９】
2014086911.tif 000011
【図１０】
2014086911.tif 000012
【図１１】
2014086911.tif 000013
【図１２】
2014086911.tif 000014
【図１３】
2014086911.tif 000015
【図１４】
2014086911.tif 000016
【図１５】
2014086911.tif 000017
【図１６】
2014086911.tif 000018
【図１７】
2014086911.tif 000019